(57)【特許請求の範囲】
【請求項１】
表面が袋状の張り材によって覆われると共に、前記張り材の張力によって着席者の荷重を受け止める背凭れ部を有し、前後に並んで配置される椅子であって、
前記背凭れ部は、上下方向に延び、少なくとも上部が左右方向に延びた上部フレームによって互いに連結される左右一対の側部フレームと、
前記一対の側部フレームと共に前記張り材が張り掛けられ、正面視で前記一対の側部フレーム間に位置し且つ側面視で前記一対の側部フレームよりも後方に位置し、左右方向の幅が、前記一対の側部フレーム間の間隔よりも小さく設定された保護部材と、
を備え、
前記各側部フレームと前記保護部材の左右側部との間に架け渡された前記張り材の後方側面が、後方からの荷重を受け止めるクッションとして機能することを特徴とする椅子。
【請求項２】
請求項１記載の椅子において、
前記張り材は、前記一対の側部フレーム及び前記保護部材を内側に収容して覆うように張り掛けられるものであって、前記一対の側部フレーム間に張り掛けられた前面が着席者の荷重を受け止めるクッションとして機能すると共に、該前面と前記保護部材との間には隙間が設けられていることを特徴とする椅子。
【請求項３】
請求項１又は２記載の椅子において、
前記保護部材は、前後方向に扁平な板状部材であることを特徴とする椅子。
【請求項４】
請求項３記載の椅子において、
前記背凭れ部は、左右方向に延びて前記一対の側部フレームの下部同士を連結する下部フレームを有し、前記上部フレームと前記下部フレームとが、前記保護部材によって互いに連結されており、
前記保護部材は、前記上部フレームと前記下部フレームとを連結する左右一対の支持フレームを有し、
前記板状部材は、前記一対の支持フレーム間に設けられることを特徴とする椅子。
【請求項５】
請求項１又は２記載の椅子において、
前記背凭れ部は、左右方向に延びて前記一対の側部フレームの下部同士を連結する下部フレームを有し、前記上部フレームと前記下部フレームとが、前記保護部材によって互いに連結されており、
前記保護部材は、前記上部フレームと前記下部フレームとを連結する複数本のパイプ部材であることを特徴とする椅子。
【請求項６】
請求項１〜５のいずれか１項に記載の椅子において、
前記張り材は、少なくとも一部に外側から内側を視認可能な透過部を有し、
前記保護部材の前記透過部に対応する位置に、所定の情報を表示する表示部を設けたことを特徴とする椅子。
【発明の詳細な説明】
【技術分野】
【０００１】
本発明は、表面を覆う袋状の張り材の張力によって着席荷重を受け止める背凭れ部を有する椅子に関する。
【背景技術】
【０００２】
劇場やプラネタリウム、映画館、スタジアム等に設置される椅子は、通常、複数脚が前後に並んで配置される。このため、後席の着席者が足をずらしたり足を組み替えたりすると、膝やつま先が前席の背凭れ部の後面にぶつかることがあり、その衝撃によって前席の着席者が不快感を受けることがある。特に、特許文献１に記載されているようなプラネタリウム用の椅子のように、背凭れ部を深くリクライニングさせて使用するものでは、後席から前席への蹴り上げが生じ易いという問題がある。
【０００３】
また、劇場やプラネタリウム等では、床面積に対する椅子の設置効率を高め、多くの観客を収容することを可能とするため、背凭れ部の前後方向厚みを可及的に抑えることが望まれる一方、長時間快適に着席できるクッション性も求められる。
【０００４】
すなわち、この種の椅子では、前後方向厚みを抑えて劇場内での椅子の配置効率を向上させつつ、クッション性や後席からの耐衝撃性を向上させることができる背凭れ部を備えることが望ましい。
【先行技術文献】
【特許文献】
【０００５】
【特許文献１】実公平３−２５６３５号公報
【発明の概要】
【発明が解決しようとする課題】
【０００６】
本発明は、上記従来技術の課題を考慮してなされたものであり、椅子の配置効率を高めることができ、しかもクッション性や後席からの耐衝撃性を高めることができる椅子を提供することを目的とする。
【課題を解決するための手段】
【０００７】
本発明に係る椅子は、表面が袋状の張り材によって覆われると共に、前記張り材の張力によって着席者の荷重を受け止める背凭れ部を有し、前後に並んで配置される椅子であって、前記背凭れ部は、上下方向に延び、少なくとも上部が左右方向に延びた上部フレームによって互いに連結される左右一対の側部フレームと、前記一対の側部フレームと共に前記張り材が張り掛けられ、正面視で前記一対の側部フレーム間に位置し且つ側面視で前記一対の側部フレームよりも後方に位置し、左右方向の幅が、前記一対の側部フレーム間の間隔よりも小さく設定された保護部材とを備え、前記各側部フレームと前記保護部材の左右側部との間に架け渡された前記張り材の後方側面が、後方からの荷重を受け止めるクッションとして機能することを特徴とする。この場合、前記張り材は、前記一対の側部フレーム及び前記保護部材を内側に収容して覆うように張り掛けられるものであって、前記一対の側部フレーム間に張り掛けられた前面が着席者の荷重を受け止めるクッションとして機能すると共に、該前面と前記保護部材との間には隙間が設けられた構成であってもよい。
【０００８】
このような構成によれば、袋状の張り材の張力によって着席者の荷重を受け止める背凭れ部を有し、張り材を側部フレームとこれよりも後方の保護部材とに張り掛けたことにより、クッション材等を別途配設することなく、張り材の撓みをクッション材として利用することができる。また、一対の側部フレーム間に位置し該側部フレームよりも後方に位置する保護部材を備えるため、保護部材自体による防御効果によって、前席の着席者の背中が直接的に後席側から蹴り上げられることが防止される。さらに、背凭れ部の後面側では、保護部材が配置されたことにより、フレームに対する張り材の張り掛け距離が狭くなるため、張り材の後面側での撓み量を減らすことができ、着席者に対する衝撃を該張り材によって受け止めることができ、着席者の不快感を一層少なくすることができる。また、保護部材によって横方向のフレーム間距離を狭くし、張り材の撓み量を減らすことにより、十分なクッション性を確保しつつ背凭れ部の前後方向厚みが抑えられるため、劇場内での椅子の配置効率を向上させることができる。
【０００９】
前記背凭れ部は、左右方向に延びて前記一対の側部フレームの下部同士を連結する下部フレームを有し、前記上部フレームと前記下部フレームとが、前記保護部材によって互いに連結されると、保護部材の設置が容易であると共に、当該保護部材によって背凭れ部を構成するフレーム全体の剛性を高めることができ、背凭れ部をより薄型化しつつ、十分な張力を持って張り材を張り掛けることができる。
【００１０】
前記保護部材は、前後方向に扁平な板状部材であると、該板状部材によって後方からの衝撃を受け止めることができる。
【００１１】
前記保護部材は、前記上部フレームと前記下部フレームとを連結する左右一対の支持フレームを有し、前記板状部材は、前記一対の支持フレーム間に設けられると、板状部材を薄い金属板等で形成した場合であっても十分な強度で設置することができる。
【００１２】
前記保護部材は、前記上部フレームと前記下部フレームとを連結する複数本のパイプ部材であってもよい。この場合にも、背凭れ部の後面側での張り材の撓み量を低減することができるため、着席者に対する衝撃を張り材の最小限の撓みによって円滑に低減でき、着席者の不快感を少なくすることができる。
【００１３】
前記張り材は、少なくとも一部に外側から内側を視認可能な透過部を有し、前記保護部材の前記透過部に対応する位置に、所定の情報を表示する表示部を設けてもよい。そうすると、椅子の前方や後方から、表示部を容易に確認することができ、また保護部材に表示部を設けることで、より大きな表示部を容易に設置することができる。しかも、表示部を設けた保護部材が背凭れ部の上部まで延在している場合には、表示部を背凭れ部の上部に容易に配置でき、跳ね上げた座部によって当該表示部が隠れることを回避できる。
【発明の効果】
【００１４】
本発明によれば、一対の側部フレーム間に位置し該側部フレームよりも後方に位置する保護部材を備えるため、保護部材自体による防御効果によって、前席の着席者の背中が直接的に後席側から蹴り上げられることが防止される。さらに、背凭れ部の後面側では、保護部材が配置されたことにより、フレームに対する張り材の張り掛け距離が狭くなるため、張り材の後面側での撓み量を減らすことができ、着席者に対する衝撃を該張り材によって受け止めることができ、着席者の不快感を一層少なくすることができる。しかも、保護部材によって横方向のフレーム間距離を狭くし、張り材の撓み量を減らすことにより、十分なクッション性を確保しつつ背凭れ部の前後方向厚みが抑えられるため、劇場内での椅子の配置効率を向上させることができる。
【図面の簡単な説明】
【００１５】
【図１】図１は、本発明の一実施形態に係る椅子の側面図である。
【図２】図２は、図１に示す椅子をリクライニングさせた状態での側面図である。
【図３】図３は、図１に示す椅子の正面図である。
【図４】図４は、背凭れ部の前方側からの斜視図である。
【図５】図５は、背凭れ部の後方側からの斜視図である。
【図６】図６は、背凭れ部の三面図であり、図６（Ａ）は、背凭れ部の平面図を示し、図６（Ｂ）は、背凭れ部の正面図を示し、図６（Ｃ）は、背凭れ部の側面図を示す。
【図７】図７は、図６（Ｂ）中のＶＩＩ−ＶＩＩ線に沿う断面図である。
【図８】図８は、保護部材の第１変形例を示す断面図である。
【図９】図９は、保護部材の第２変形例を示す断面図である。
【図１０】図１０は、保護部材の第３変形例を示す断面図である。
【発明を実施するための形態】
【００１６】
以下、本発明に係る椅子について好適な実施の形態を挙げ、添付の図面を参照しながら詳細に説明する。
【００１７】
図１は、本発明の一実施形態に係る椅子１０の側面図であり、図２は、椅子１０をリクライニングさせた状態での側面図である。図１及び図２は、前後方向に多数配列された椅子１０のうち、所定の前席１０Ｆ及び後席１０Ｒを図示したものである。また、図３は、椅子１０の正面図であり、左右方向に３脚１組として椅子１０を並べて設置した状態を示している。
【００１８】
図１及び図２に示すように、椅子１０（前席１０Ｆ及び後席１０Ｒ）は、使用者が座るための座部１４と、座部１４への着席者が背中で寄り掛かる部分である背凭れ部１６と、着席者が肘を掛けるための肘掛部２０とを備える。
【００１９】
以下、本実施形態では、椅子１０として、図３に示すように左右方向に並んだ３脚の椅子１０が一対の脚部２２によって床面上に一体的に固定されると共に、この左右方向で３脚の組が、図１及び図２に示すように前後方向に後ろ上がりの階段状に並んで複数列配置されたプラネタリウム用の椅子を例示して説明する。なお、椅子１０は、前後方向に２脚以上が配列されるものであれば、前後方向に平面状や後ろ上がりの斜面状に配置されてもよく、左右方向には１脚が単独で用いられ又は２脚以上が並んで用いられてもよい。勿論、椅子１０は、プラネタリウム用以外の用途に用いることもできる。
【００２０】
図１に示すように、座部１４は、その基端（後端）側を回動軸として跳ね上げ可能な構成であり、非着席時には上方に跳ね上がって前席１０Ｆ及び後席１０Ｒ間に通路として空間を確保することができる。座部１４を跳ね上げた状態は、図１中に２点鎖線で示す。勿論、座部１４は固定式のものでもよい。肘掛部２０は、椅子１０の各外側部に設置されると共に、左右に隣接する椅子１０同士の中間部に両席共用となる１個が設置される（図３参照）。
【００２１】
図４は、背凭れ部１６の前方側からの斜視図であり、袋状の張り材２４を背凭れ部１６に被せる前の状態での分解斜視図である。図５は、背凭れ部１６の後方側からの斜視図である。図６は、背凭れ部１６の三面図であり、図６（Ａ）は、背凭れ部１６の平面図を示し、図６（Ｂ）は、背凭れ部１６の正面図を示し、図６（Ｃ）は、背凭れ部１６の側面図を示す。
【００２２】
図１〜図６に示すように、背凭れ部１６は、その骨格となる枠状の背フレーム（枠フレーム）２６の表面が袋状の張り材（張り地）２４によって覆われており、この張り材２４の張力（テンション）によって着席者からの荷重を受け止めることができる。さらに、背フレーム２６の上部には、着席者が頭部を凭れるヘッドレストフレーム２８が該背フレーム２６と一体的に設けられている。本実施形態に係る椅子１０は、プラネタリウム用の椅子のため、背凭れ部１６の上部にヘッドレストフレーム２８によってヘッドレストを形成しているが、該ヘッドレスト（ヘッドレストフレーム２８）は椅子１０の用途によっては省略してもよい。
【００２３】
図４及び図５に示すように、背フレーム２６は、上下方向に延びた左右一対の側部フレーム３０、３０と、左右方向に延びて各側部フレーム３０の上部同士を連結する上部フレーム３２と、左右方向に延びて各側部フレーム３０の下部同士を連結する下部フレーム３４とを備え、図６（Ｂ）に示す正面視で矩形枠状に形成されている。
【００２４】
上部フレーム３２及び下部フレーム３４は、着席者の背中を包み込むように、左右側部から中央部に向かって後方に湾曲しており、側部フレーム３０は、上部フレーム３２との連結部から下方に向けて、一端後方に窪んだ後、前方に膨らんだ曲線形状となっている。
【００２５】
ヘッドレストフレーム２８は、各側部フレーム３０の上端を上方に延長し、側面視で中間部が上下部よりも前方に位置するように湾曲させた左右一対の延長フレーム３６、３６と、左右方向に延びて各延長フレーム３６の上端同士を連結する頂部フレーム３８とを備え、図６（Ｂ）に示す正面視で高さ方向に扁平な矩形枠状に形成されている。
【００２６】
側部フレーム３０、延長フレーム３６及び頂部フレーム３８は、長尺なパイプ部材（パイプフレーム）の両端側を曲げ加工でアーチ状（門状）に成形することで一体的に形成されている。各側部フレーム３０の下端前面側には、背凭れ部１６を当該椅子１０の座部１４等が設けられる図示しないフレームに固定するための取付部４０がそれぞれ設けられている。
【００２７】
このような背フレーム２６やヘッドレストフレーム２８を構成する各フレームは、金属製のパイプ部材によって十分な剛性と強度を持って形成されており、背凭れ部１６に着席者が背中で寄りかかった程度の荷重では実質的に撓まない構造、つまり着席荷重程度では全く撓まない又は僅かに撓む程度の構造となっている。
【００２８】
図４に示すように、背フレーム２６の中央部には、保護部材４２が上下方向に延びて設置されている。保護部材４２は、図３及び図６（Ｂ）に示す正面視で一対の側部フレーム３０、３０間に位置すると共に、図１及び図６（Ｃ）に示す側面視で各側部フレーム３０よりも後方に位置し、その外面に張設される張り材２４と共に、後方からの衝撃を受け止めるプロテクタとして機能するものである。
【００２９】
図４〜図６に示すように、保護部材４２は、上下方向に延び、上部フレーム３２と下部フレーム３４との間を連結する左右一対の支持フレーム４４、４４と、各支持フレーム４４間に設けられるプレート部材（板状部材）４６とから構成されている。
【００３０】
支持フレーム４４は、背フレーム２６を構成する側部フレーム３０等よりも小径のパイプ部材（パイプフレーム）であり、図１等から諒解されるように、側面視で側部フレーム３０と略同様な曲線形状に成形されている。各支持フレーム４４は、各側部フレーム３０間の後方側に張り掛けられる張り材２４を略３等分する位置に配置されている（図７参照）。
【００３１】
プレート部材４６は、各支持フレーム４４間に固定されて前後方向に扁平な板状部材（板金）であり、その左右方向の中心が背凭れ部１６の左右方向の中心に略一致している（図７参照）。図１等から諒解されるように、プレート部材４６は、側面視で側部フレーム３０や支持フレーム４４と略同様な曲線形状に成形されている。
【００３２】
保護部材４２を構成する支持フレーム４４やプレート部材４６は、それぞれ金属製のパイプ部材や金属製の板状部材によって十分な剛性と強度を持って形成されており、背フレーム２６を構成する各フレーム等と同様、背凭れ部１６に着席者が背中で寄りかかった程度の荷重では実質的に撓まない構造となっている。また、支持フレーム４４の下部であって、下部フレーム３４より上方の両側部は、側部フレーム３０の下部との間でプレート状の連結フレーム４７、４７によって連結されており（図４及び図５参照）、より高い剛性が付与されている。
【００３３】
図３、図４及び図６に示すように、張り材２４は、ヘッドレストフレーム２８を覆うヘッドレストカバー部４８と、背フレーム２６を覆う背カバー部５０とを一体的に袋状に形成したものである。本実施形態の場合、ヘッドレストカバー部４８にはレザー材を用い、背カバー部５０には透過性を有するメッシュ材を用いている。なお、図面の簡単のため、図３以外の図面では、ヘッドレストカバー部４８と背カバー部５０とを同様な模様で図示している。勿論、張り材２４の材質は、当該椅子１０の用途等に応じて適宜変更可能であるが、少なくとも背カバー部５０をメッシュ材で構成すると、背凭れ部１６の通気性を確保できるため、特にプラネタリウム用の椅子のように、リクライニングを深く倒して長時間座るような用途に最適である。また、背カバー部５０にメッシュ材を用いることで、後述するように、大きな表示部５２を設けることもできる。
【００３４】
図４に示すように、張り材２４は、下端に開口部を設けて袋状に形成されており、この袋状の張り材２４を、下端の開口部を介してヘッドレストフレーム２８の上部から被せることで、ヘッドレストフレーム２８及び背フレーム２６の全体が張り材２４によって覆われる。この際、図６及び図７から諒解されるように、張り材２４の袋は、ヘッドレストフレーム２８及び背フレーム２６からなる背凭れ部１６の骨格よりも多少小さめに形成されており、ヘッドレストフレーム２８及び背フレーム２６に張り材２４を引っ張りながら被せることにより、十分な張力（テンション）を持って張設される。張り材２４の下端開口部は、下部フレーム３４等に対してファスナやホック等の結合手段によって固定すればよい。
【００３５】
より具体的には、図７に示すように、背フレーム２６を覆う背カバー部５０は、２本の側部フレーム３０、３０と、２本の支持フレーム４４、４４と、プレート部材４６とによって、背凭れ部１６の前後左右方向に十分な張力を持って張り掛けられる。これにより、着席者の荷重が背カバー部５０の前面５０ａにかかった場合であっても、この前面５０ａは、図７中に２点鎖線で示すように距離Ｌ１程度の範囲で撓んで十分なクッション性を発揮し、快適な座り心地を得ることができる。
【００３６】
すなわち、側部フレーム３０や支持フレーム４４、プレート部材４６が、上記のように背凭れ部１６に着席者が背中で寄りかかった程度の荷重では実質的に撓まない構造となっている。そして、着席者の背中が当たる張り材２４（背カバー部５０）の前面５０ａは、十分な間隔を持った２本の側部フレーム３０、３０間に張り渡されているため、必要十分な撓み量（距離Ｌ１）を確保することができて、快適なクッション性を発揮することができる。この際、張り材２４（背カバー部５０）は、側部フレーム３０及び保護部材４２の周囲に張り渡されているため、着席者の背中が当たる前面５０ａは、広い間隔の側部フレーム３０間に張られて十分なクッション性を確保できると共に、後面側に設けられた保護部材４２によって前面５０ａの撓み量である距離Ｌ１もある程度の制限を受けるため、該前面５０ａが過剰に撓み、後方の保護部材４２に底付きしてしまうことが回避できる。
【００３７】
一方、後席１０Ｒの着席者の足が当たる可能性のある張り材２４（背カバー部５０）の後面側は、中央部が保護部材４２によって保護されると共に、保護部材４２の側部に形成される後方側面５０ｂは、狭い間隔からなる側部フレーム３０と保護部材４２（支持フレーム４４）との間に張り渡されているため、その撓み量は距離Ｌ１よりも十分に小さい距離Ｌ２程度まで減らされており（図７中の２点鎖線参照）、後方から力が加わってもその衝撃が着席者まで直接的に伝わることはなく、着席者に対する後方からの衝撃が低減され、不快感を少なくすることができる。換言すれば、保護部材４２を背凭れ部１６の後面側に配置したことにより、張り材２４が張り掛けられる横方向のフレーム間距離を狭くすることができ、張り材２４の撓み量を低減することができるため、背凭れ部１６の前後方向厚みを厚くすることなく、張り材２４を十分な張力で張設でき、背凭れ部１６の厚みを一層低減することができる。
【００３８】
図３に示すように、保護部材４２を構成するプレート部材４６の前面には、当該椅子１０の席番等を表示する表示部（席番プレート）５２が設けられている。この表示部５２は、張り材２４を構成する背カバー部５０の前面にメッシュ材によって形成された透過部５４に対応する位置に設けられ、少なくとも椅子１０の正面から視認可能である。勿論、表示部５２及び透過部５４は、背凭れ部１６の後面に設けられてもよく、また前面及び後面の両方に設けられてもよく、表示部５２は、席番以外の所定の情報を表示するために用いられてもよい。
【００３９】
以上のように、本実施形態に係る椅子１０によれば、表面が袋状の張り材２４によって覆われると共に、張り材２４の張力によって着席者の荷重を受け止める背凭れ部１６を有し、前後に並んで配置される椅子１０において、背凭れ部１６は、上下方向に延び、少なくとも上部が左右方向に延びた上部フレーム３２によって互いに連結される左右一対の側部フレーム３０、３０と、一対の側部フレーム３０、３０と共に張り材２４が張り掛けられ、図３及び図６（Ｂ）に示す正面視で一対の側部フレーム３０、３０間に位置し、且つ、図１及び図６（Ｃ）に示す側面視で一対の側部フレーム３０、３０よりも後方に位置した保護部材４２とを備える。
【００４０】
すなわち、椅子１０では、袋状の張り材２４の張力によって着席者の荷重を受け止める背凭れ部１６を有し、張り材２４を側部フレーム３０とこれよりも後方の保護部材４２とに張り掛けたことにより、クッション材等を別途配設することなく、張り材２４の撓みクッション材として利用することができる（図７中の距離Ｌ１参照）。
【００４１】
さらに、椅子１０では、一対の側部フレーム３０、３０間に位置し、該側部フレーム３０よりも後方に位置する保護部材４２を備える。このため、後席１０Ｒの着席者が足の位置を変更した場合等に、該着席者の足が前席１０Ｆの背凭れ部１６の後面を蹴り上げたとしても、第１に、保護部材４２自体による防御効果によって前席１０Ｆの着席者の背中が直接的に蹴り上げられることが防止される。第２に、背凭れ部１６の後面側では、保護部材４２によってフレームに対する張り材２４の張り掛け距離が狭くなるため、張り材２４（背カバー部５０）の後方側面５０ｂの撓み量を減らすことができ（図７中の距離Ｌ２参照）、着席者に対する衝撃を一層低減でき、不快感を少なくすることができる。また、保護部材４２によって張り材２４の撓み量を減らすことにより、十分なクッション性を確保しつつ背凭れ部１６の前後方向厚みが抑えられ、プラネタリウム等の劇場内での椅子１０の配置効率を向上させることができる。
【００４２】
図１及び図２に示すように、椅子１０の背凭れ部１６は、リクライニング可能であるため、後席１０Ｆの着席者の足が前席１０Ｆの後面に一層当たり易くなっているが、当該椅子１０では、保護部材４２を設けたことにより、上記のような背凭れ部１６の薄型化の効果と保護部材４２による耐衝撃性向上の効果によって、図２に示すように、リクライニングを深く倒した状態であっても着席者の不快感を低減することができる。
【００４３】
図４及び図５に示すように、保護部材４２は、上部フレーム３２と下部フレーム３４とを連結するように上下方向に延びて設置されていると、保護部材４２の設置が容易であると共に、当該保護部材４２によって背フレーム２６全体の剛性を高めることができ、背凭れ部１６を薄型化しつつ、十分な張力を持って張り材２４を張り掛けることができる。
【００４４】
また、保護部材４２として、一対の支持フレーム４４、４４間にプレート部材４６を設けたことで、保護部材４２の剛性が高まると共に、プレート部材４６によって後席１０Ｒの着席者からの足蹴り等を直接的に且つ十分に受け止めることができ、前席１０Ｆの着席者の不快感を一層低減することができる。
【００４５】
椅子１０において、張り材２４は、背凭れ部１６の少なくとも一部に、例えばメッシュ材による透過部５４を有し、保護部材４２の前面の透過部５４に対応する位置に、所定の情報（例えば、席番）を表示する表示部５２を設けている。これにより、椅子１０の前方や後方から、表示部５２を容易に確認することができ、またプレート部材４６に表示部５２を設けることで、より大きな表示部５２を容易に設置することができる。しかも、図３から諒解されるように、表示部５２を設けた保護部材４２は、背凭れ部１６の上部まで延在しているため、表示部５２を背凭れ部１６の上部に配置でき、跳ね上げた座部１４によって隠れることもない。
【００４６】
なお、上記実施形態では、支持フレーム４４及びプレート部材４６を備えた保護部材４２を例示したが、保護部材の構成は他の構成であっても勿論よい。
【００４７】
例えば、図８に示すように、一対の支持フレーム４４、４４を省略し、プレート部材４６のみを備えた保護部材４２ａとして構成しても、後方から力が加わった場合の着席者の不快感を少なくすることができる。この場合、プレート部材４６の薄型化と高剛性とを確保するため、プレート部材４６の両側縁部にカール成形やフランジ成形等を施してもよい。なお、図８は、図７に示す断面図と同様に、保護部材４２ａを背凭れ部１６に適用した場合の該背凭れ部１６の平面断面図であり、保護部材４２ａは保護部材４２と同様、上部フレーム３２と下部フレーム３４との間を連結するように設置されており、以下の図９、図１０で示す保護部材４２ｂ、４２ｃについても同様である。
【００４８】
一方、図９に示すように、プレート部材４６を省略し、一対の支持フレーム４４、４４のみを備えた保護部材４２ｂとして構成してもよい。この場合には、一対の支持フレーム４４、４４間に張られた張り材２４（背カバー部５０）の後面５０ｃの撓み量も後方側面５０ｂの撓み量と同様な距離Ｌ２程度となるため（図９中に２点鎖線で示す後方側面５０ｂ及び後面５０ｃ参照）、着席者に対する衝撃を十分に低減でき、不快感を少なくすることができる。
【００４９】
保護部材４２ｂは、図１０に示すように、支持フレーム４４の設置数を３本以上（図１０では３本の構成を例示）にした保護部材４２ｃとして構成してもよく、例えば、３本の支持フレーム４４、４４、４４によって、側部フレーム３０、３０間を略４等分してもよい。そうすると、張り材２４を構成する背カバー部５０の４つの後方側面５０ｄの撓み量をそれぞれ距離Ｌ２より小さい距離Ｌ３程度まで減らすことができ（図１０中に２点鎖線で示す後方側面５０ｄ参照）、着席者に対する衝撃を一層低減でき、不快感を一層少なくすることができる。
【００５０】
保護部材４２ｂ、４２ｃのように、プレート部材４６を用いない構成で表示部５２を設置する場合には、例えば中央部の２本又は３本程度の支持フレーム４４間にプレート状の表示部５２を設置すればよい。
【００５１】
なお、本発明は、上記した実施形態に限定されるものではなく、本発明の主旨を逸脱しない範囲で自由に変更できることは勿論である。
【００５２】
例えば、上記実施形態では、背凭れ部の表面を覆う袋状の張り材として、下端のみに開口部を設けて予め袋状に形成した張り材２４を例示したが（図４参照）、背凭れ部を覆う袋状の張り材としては、上端及び下端に開口部を設けた筒状の張り材を背凭れ部に被せた後、上下の開口部を閉じる構成のものや、１枚のシート状の張り材によって背凭れ部を側方から包んだ後、該張り材の側部を閉じて筒状にし、その後、上下の開口部を閉じる構成のもの、さらには１枚のシート状の張り材によって背凭れ部を上方から包んだ後、該張り材の両側部を閉じて袋状にし、その後、下方の開口部を閉じる構成のもの等、各種構成を挙げることができ、要は、背凭れ部の表面を袋状に覆うことができる張り材であれば用いることができる。ここで、袋状とは、背凭れ部の上下前後左右を覆うもの（図６（Ｃ）参照）は勿論、少なくとも背凭れ部の前後左右を覆うものであればよく、椅子の用途によっては、上下の両方又は一方を覆わない構成とすることもできる。
【符号の説明】
【００５３】
１０  椅子
１４  座部
１６  背凭れ部
２４  張り材
２６  背フレーム
２８  ヘッドレストフレーム
３０  側部フレーム
３２  上部フレーム
３４  下部フレーム
３６  延長フレーム
３８  頂部フレーム
４２  保護部材
４４  支持フレーム
４６  プレート部材
４８  ヘッドレストカバー部
５０  背カバー部
５２  表示部
５４  透過部
【図１】
0005855879.tif 000002
【図２】
0005855879.tif 000003
【図３】
0005855879.tif 000004
【図４】
0005855879.tif 000005
【図５】
0005855879.tif 000006
【図６】
0005855879.tif 000007
【図７】
0005855879.tif 000008
【図８】
0005855879.tif 000009
【図９】
0005855879.tif 000010
【図１０】
0005855879.tif 000011